(57)【要約】      （修正有）【課題】簡明な構成で遊技部材を遊技演出に合わせて動作させる。【解決手段】リンク部材２１０，２２０の先端部において支持する電飾看板１００を、遊技領域内下方の露出位置から遊技領域内上方の待機位置に上昇移動させて、リンク部材２１０，２２０と係合する固定部材３２０と、固定部材３２０を付勢するバネ部材３２３と、遊技機本体に固設された水平支軸Ｐ６に沿って移動自在な支持部材４２０と、係合部４１２と支持部材４２０と係合する係合溝部４１１とを有し、遊技機本体に枢結されて左右揺動する往復アーム部材４１０とを備え、カム部材３１０の回転で、固定部材３２０がロック位置及びロック解除位置に移動する。係合部４１２が往復アーム部材４１０を左右揺動させ、往復アーム部材４１０の係合溝部４１１と係合した支持部材４２０が水平支軸Ｐ６に沿って左右移動する。【選択図】  図１０
2008246016.tif 000002
【特許請求の範囲】
【請求項１】
遊技盤の前面側に設けられた遊技領域内を上下に移動する遊技演出部材及び左右に移動可能な遊技装飾部材を有した遊技機において、
表面にリング状の溝カムを有して回転可能なカム部材と、
前記遊技機の本体部に枢結されて上下に揺動自在な一対の昇降アーム部材を有し、前記一対の昇降アーム部材の先端部において支持する前記遊技演出部材を、前記遊技領域内の下方に移動した下動位置から前記遊技領域内の上方に移動した上動位置に上昇移動させる移動機構と、
前記移動機構によって前記遊技演出部材を前記上動位置に移動させた状態で、前記昇降アーム部材もしくは前記遊技演出部材のいずれかに設けられた被係合部と係合する係合部材と、
前記係合部材を前記被係合部と係合する方向に付勢する付勢手段と、
前記遊技装飾部材を支持して前記遊技機の本体部に固設された左右水平支軸に沿って移動自在な支持部材と、
前記溝カムに挿入される挿入係合部と、前記支持部材と係合する係合部とを有し、前記遊技機の本体部に枢結されて左右に揺動自在な振動アーム部材とを備え、
前記カム部材の回転によって、前記係合部材が前記被係合部と係合する係合位置及び前記被係合部と係合しない非係合位置に移動するように、及び前記溝カムに挿入された前記挿入係合部が前記溝カムの内部を移動して前記振動アーム部材を左右に揺動させ、前記振動アーム部材の前記係合部と係合した前記支持部材が前記左右水平支軸に沿って左右に移動するように構成したことを特徴とする遊技機。
【請求項２】
前記カム部材は、前記溝カムと、前記カム部材の外周面によって構成される外面カムとを備え、前記外面カムと前記係合部材とが当接して前記付勢手段による付勢力に抗う方向に前記係合部材を押圧し、前記係合部材を前記係合位置及び前記非係合位置に移動するように構成したことを特徴とする請求項１に記載の遊技機。
【請求項３】
前記カム部材は、前記外面カムによる前記係合部材の前記係合位置及び前記非係合位置への移動と、前記溝カムによる前記振動アーム部材の左右への揺動とを互いに独立して行うように構成したことを特徴とする請求項２に記載の遊技機。
【発明の詳細な説明】
【技術分野】
【０００１】
本発明は、遊技展開に応じて遊技盤の前面側に設けられた遊技領域内を移動する遊技部材を有した遊技機に関する。
【背景技術】
【０００２】
代表的な遊技機であるパチンコ機には、遊技盤の前面に設けられた遊技領域の略中央部にセンター飾りが配設されて、このセンター飾りに形成した開口部から図柄表示装置を臨ませ、この図柄表示装置で図柄組み合わせゲームやリーチ演出等の遊技演出を行うようになっている。また、センター飾りに所要の動作を行う遊技部材を備えた可動装置を配設し、遊技部材を図柄表示装置で行われる遊技演出に合わせて動作させることにより、視覚的な演出効果を向上させ、遊技の興趣を一層増大するようにしたパチンコ機も知られている。
【０００３】
このような可動装置では、センター飾りに揺動自在に設けた遊技部材を、駆動源としてのソレノイドに接続し、図柄表示装置での遊技演出に合わせてソレノイドを駆動して遊技部材を往復動させることで、演出効果を高めるように構成されている（例えば、特許文献１参照）。また、駆動源としてモータを用い、このモータを駆動することで遊技部材を往復移動させるとともに、磁石等を利用して遊技部材を所定位置で停止させるように構成されている（例えば、特許文献２参照）。
【０００４】
また、センター飾りに往復動自在に設けた遊技部材において、駆動源からの駆動力を伝達する伝達部材を遊技部材に形成した開口部に挿入するとともに、この開口部の内部輪郭と伝達部材との間に、遊技部材の移動方向に隙間を設けたことで、一旦駆動した駆動源を停止させた時に、この隙間の存在により遊技部材を振動させることで遊技の興趣を高めるように構成されている（例えば、特許文献３参照）。
【０００５】
【特許文献１】特開２００１−２５５４６号公報
【特許文献２】特開２００３−１９０４０１号公報
【特許文献３】特開２００５−３２３９３９号公報
【発明の開示】
【発明が解決しようとする課題】
【０００６】
上述したように、パチンコ機において遊技球の動きは単調で、その動きそのものを楽しむことは難しく、遊技の興趣が損なわれるという問題を解消するため、図柄表示装置での遊技演出に合わせて演出動作を行うような遊技部材をセンター飾りに設け、遊技進行の中で遊技者の注意を遊技部材の動作に引きつけるように構成して、遊技者の興味を高め、興趣を向上させることが考えられる。その場合、この遊技部材の動作進行が滞るような不具合の発生を確実に回避して、遊技部材の動作を常に円滑に進めることができるようにする構造の実現が切望される。
【０００７】
本発明はこのような課題に鑑みてなされたものであり、簡明な構成で遊技部材を遊技演出に合わせて動作をさせ、遊技の興趣を増大させることができる遊技機を提供することを目的とする。
【課題を解決するための手段】
【０００８】
上記課題を解決して目的を達成するため、本発明に係る遊技機は、表面にリング状の溝カム（例えば、実施形態における円形溝カム部３１４，張出溝カム部３１５）を有して回転可能なカム部材（例えば、実施形態におけるカム部材３１０）と、遊技機の本体部に枢結されて上下に揺動自在な一対の昇降アーム部材（例えば、実施形態におけるリンク部材２１０，２２０）を有し、前記一対の昇降アーム部材の先端部において支持する遊技演出部材（例えば、実施形態における電飾看板１００）を、遊技領域内の下方に移動した下動位置（例えば、実施形態における露出位置）から前記遊技領域内の上方に移動した上動位置（例えば、実施形態における待機位置）に上昇移動させる移動機構（例えば、実施形態における昇降装置２００）と、前記移動機構によって前記遊技演出部材を前記上動位置に移動させた状態で、前記昇降アーム部材もしくは前記遊技演出部材のいずれかに設けられた被係合部（例えば、実施形態における看板係止部２１４，２２４）と係合する係合部材（例えば、実施形態における固定部材３２０）と、前記係合部材を前記被係合部と係合する方向に付勢する付勢手段（例えば、実施形態におけるバネ部材３２３）と、遊技装飾部材（例えば、実施形態における装飾部材２２ａ）を支持して前記遊技機の本体部に固設された左右水平支軸（例えば、実施形態における水平支軸Ｐ６）に沿って移動自在な支持部材（例えば、実施形態における支持部材４２０）と、前記溝カムに挿入される挿入係合部（例えば、実施形態における係合部４１２）と前記支持部材と係合する係合部（例えば、実施形態における係合溝部４１１）とを有し、前記遊技機の本体部に枢結されて左右に揺動自在な振動アーム部材（例えば、実施形態における往復アーム部材４１０）とを備え、前記カム部材の回転によって、前記係合部材が前記被係合部と係合する係合位置（例えば、実施形態におけるロック位置）及び前記被係合部と係合しない非係合位置（例えば、実施形態におけるロック解除位置）に移動するように、及び前記溝カムに挿入された前記挿入係合部が前記溝カムの内部を移動して前記振動アーム部材を左右に揺動させ、前記振動アーム部材の前記係合部と係合した前記支持部材が前記左右水平支軸に沿って左右に移動するように構成される。
【０００９】
前記カム部材は、前記溝カムと、前記カム部材の外周面によって構成される外面カムとを備え、前記外面カムと前記係合部材とが当接して前記付勢手段による付勢力に抗う方向に前記係合部材を押圧し、前記係合部材を前記係合位置及び前記非係合位置に移動するように構成することが好ましい。
【００１０】
前記カム部材は、前記外面カムによる前記係合部材の前記係合位置及び前記非係合位置への移動と、前記溝カムによる前記振動アーム部材の左右への揺動とを互いに独立して行うように構成することが好ましい。
【発明の効果】
【００１１】
本発明に係る遊技機では、表面にリング状の溝カムを有して回転可能なカム部材と、遊技機の本体部に枢結されて上下に揺動自在な一対の昇降アーム部材を有し、一対の昇降アーム部材の先端部において支持する遊技演出部材を、遊技領域内の下方に移動した下動位置から遊技領域内の上方に移動した上動位置に上昇移動させる移動機構と、移動機構によって遊技演出部材を上動位置に移動させた状態で、昇降アーム部材もしくは遊技演出部材のいずれかに設けられた被係合部と係合する係合部材と、係合部材を被係合部と係合する方向に付勢する付勢手段と、遊技装飾部材を支持して遊技機の本体部に固設された左右水平支軸に沿って移動自在な支持部材と、溝カムに挿入される挿入係合部と支持部材と係合する係合部とを有し、遊技機の本体部に枢結されて左右に揺動自在な振動アーム部材とを備え、カム部材の回転によって、係合部材が被係合部と係合する係合位置及び被係合部と係合しない非係合位置に移動するように、及び溝カムに挿入された挿入係合部が溝カムの内部を移動して振動アーム部材を左右に揺動させ、振動アーム部材の係合部と係合した支持部材が左右水平支軸に沿って左右に移動するように構成される。
【００１２】
上記のように構成されるため、遊技機に設けられて現実に存在する部材である遊技演出部材を上下に移動させることによって、図柄表示装置による図柄表示演出等に比して、より立体的で現実的な演出を行うことが可能となり、遊技者に対してより強い印象を与えて、視覚的な演出効果を向上させることができる。また、支持部材に取り付けられた遊技装飾部材に遊技演出に合わせた振動を自在に生起させることができ、遊技の興趣を増大させることができる。さらに、一つのカム部材によって遊技演出部材及び遊技装飾部材の二つの遊技部材の作動を行うので構成部材を少なくすることができ、装置のコンパクト化とともにコスト削減を図ることができる。
【００１３】
なお、カム部材が、溝カムと、カム部材の外周面によって構成される外面カムとを備え、外面カムと係合部材とが当接して付勢手段による付勢力に抗う方向に係合部材を押圧し、係合部材を係合位置及び非係合位置に移動するように構成されるので、この一つのカム部材によって、遊技演出部材を上動位置において保持する及び下動位置に下降移動することが容易にできるとともに、支持部材に取り付けられた遊技装飾部材に遊技演出に合わせた振動を自在に生起させることができ、遊技の興趣を高めることができる。
【００１４】
また、カム部材が、外面カムによる係合部材の係合位置及び非係合位置への移動と、溝カムによる振動アーム部材の左右への揺動とを互いに独立して行うように構成されるので、この一つのカム部材によって、遊技演出部材の上動位置における保持及び下動位置への下降移動と、遊技装飾部材の振動とを互いに独立して行うことができ、より遊技演出に合わせた演出動作が可能となり、遊技の興趣を増大させることができる。
【発明を実施するための最良の形態】
【００１５】
以下、本発明の好ましい実施形態について図面を参照して説明する。本発明に係る遊技機の代表例としてパチンコ機ＰＭの正面図を図１に示しており、まずこの図面を参照してパチンコ機ＰＭの全体構成について概要説明する。
【００１６】
パチンコ機ＰＭは、外郭方形の所定枠サイズに構成されて縦向きの固定保持枠をなす外枠１の開口前面に、これに合わせた方形枠サイズに構成された開閉搭載枠を成す前枠２が互いの正面左側縁部に配設された上下のヒンジ機構３ａ，３ｂにより前方に横開き開閉及び着脱が可能に取り付けられ、常に正面右側縁部に設けられた施錠機構４を利用して外枠１に閉鎖施錠された状態で保持される。
【００１７】
前枠２の各部には、パチンコ遊技を展開する遊技展開部材として、前枠２の前側面域に合わせた方形状のガラス扉５及び球皿ユニット６が正面左側部に設けられたヒンジ機構７ａ，７ｂ，７ｃを利用して横開き開閉及び着脱が可能に組付けられ、常には施錠機構４を利用して外枠１に閉鎖状態で保持される。球皿ユニット６の右側下部には遊技球の発射操作を行う操作ハンドル８が設けられ、操作ハンドル８の左方には効果音を発生するスピーカ９が設けられている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１８】
遊技盤１０単体の正面図を図２に示すように、遊技盤１０は、積層合板の表面に所定意匠のセルを貼り付けた化粧板１１（ベニヤ板とも称される）を基板として構成され、化粧板１１の前面側に内外の案内レール１２が円弧状に固設され、この案内レール１２で囲まれた内側に、遊技球発射装置（図示せず）から打ち出された遊技球が転動可能な略円形の遊技領域ＰＡが区画される。
【００１９】
遊技領域ＰＡには、多数本の遊技釘（図示せず）や風車１３とともに、一般入賞具や始動入賞具並びに大入賞口を備えたアタッカー等の入賞具１４、化粧板１１を表裏貫通する箱枠状に形成され遊技球が転動可能な波形ステージＳが設けられたセンター飾り１５などが設けられている。また、遊技領域ＰＡの下端には、各入賞具１４に入賞せずに遊技領域ＰＡの下端まで落下した遊技球（「アウト球」という）を、遊技盤１０の裏面に排出させるアウト口１６が設けられている。各入賞具に落入した遊技球（「セーフ球」という）は、これらの入賞具に設けられた入賞口スイッチ又は始動口スイッチにより検出され、化粧板１１を貫通するセーフ球通路（図示せず）を通って遊技盤１０の裏面に排出される。また、アウト口１６に集められたアウト球は、化粧板１１を貫通するアウト球通路（図示せず）を通って遊技盤１０の裏面側に排出される。
【００２０】
センター飾り１５には、センター飾り１５の中央部に開口部１７が形成されており、この開口部１７の奥部に位置して遊技者側に露出するように遊技盤１０の裏面側に取り付けられ、遊技の進行状況に応じた所定の画像を表示する画像表示装置１８が設けられている。また、センター飾り１５の各部には、発光ダイオード（以下、ＬＥＤと表記する）やランプ等の光源を用いた種々の電気装飾装置として、側部電飾装置２１、後述する横振動装置４００（図１０参照）により横方向に振動する装飾部材２２ａを有する上部電飾装置２２及び電飾看板１００等が設けられている。さらに、センター飾り１５の裏面には、後述する昇降装置２００、固定装置３００及び横振動装置４００（図６，７，１０参照）を支持する取付枠部材Ｆ（図示せず）が設けられている。
【００２１】
遊技盤１０の後方に位置する前枠２の裏面側には、詳細図示は省略するが、裏セット盤と称される機構セット盤が取り付けられており、この裏セット盤に、球貯留タンクや球払出装置等の賞球の払出機構、遊技盤１０から排出されたセーフ球やアウト球等の遊技済み球を遊技施設の回収装置に導く遊技済み球排出機構等の球処理機構が設けられている。また、裏セット盤の後面側の各部には、パチンコ機ＰＭの作動を統括的に制御する主制御基板、主制御基板における遊技展開の状況に応じて画像表示装置１８、スピーカ９及び各電気装飾装置の作動を制御して遊技展開を視覚的・聴覚的に演出する演出制御基板、主制御基板からの指令信号に基づいて球払出装置の作動を制御する払出制御基板、操作ハンドル８からの操作信号に応じて遊技球発射装置の作動を制御する発射制御基板等の種々の回路基板が取り付けられ、これらがコネクタケーブルで接続されてパチンコ機ＰＭが作動可能に構成される。
【００２２】
このように概要構成されるパチンコ機ＰＭにおいて、複数設けられた電気装飾装置の一つとして電飾看板１００が、センター飾り１５の裏面に設けられた取付枠部材Ｆ（図示せず）の上方に後述する昇降装置２００（図６参照）を介して取り付けられている。この電飾看板１００は、遊技の進行状況に応じて、開口部１７の内部空間に遊技者に対して露出するように落下移動するもしくは遊技者に視認されない位置へ上昇移動するように構成されている。電飾看板１００は、図３に示すように、照明光源を実装する電飾基板１１０と、センター飾り１５の裏面に設けられた取付枠部材Ｆと昇降装置２００によって連結され、電飾基板１１０を保持する看板本体部材１２０と、看板本体部材１２０との間に内部空間を有して看板本体部材１２０に取り付けられる看板蓋部材１３０と、電飾基板１１０に実装された照明光源からの指向性の強い照明光を拡散させる光拡散ユニット１４０とから構成される。
【００２３】
電飾基板１１０は、略矩形板状の形状を有しており、前面に配設された照明光源である複数のＬＥＤ１１１（中央部に配設された複数のＬＥＤ１１１ａ及び上下端部に配設された複数のＬＥＤ１１１ｂ）、後面に配設された接続コネクタ（図示せず）等の電子部品及び両面に配設された複数の配線パターン（図示せず）を有して構成される。この電飾基板１１０の上下端部には、それぞれ複数の基板取付孔１１２が形成されており、基板取付ネジ（図示せず）を前方側からこの基板取付孔１１２に挿入し、基板取付孔１１２と対応する位置である看板本体部材１２０の前面に前方に突出して形成された基板取付部１２２に対して螺挿してネジ締結するように構成されている。
【００２４】
看板本体部材１２０は、略矩形板状の形状を有しており、ＡＢＳ樹脂やポリカーボネート（ＰＣ）等の透明な樹脂材料を用いて射出成形等の成形手段により成形される。この看板本体部材１２０の上下端部には、上記の基板取付部１２２とともに、それぞれ複数の看板封止孔１２１が形成されており、看板封止ネジ（図示せず）を後方側からこの看板封止孔１２１に挿入し、看板封止孔１２１の位置と対応して看板蓋部材１３０の上下側壁部１３３，１３３の後方側部に形成された看板封止部（図示せず）に対して螺挿してネジ締結するように構成されている。また、看板蓋部材１２０の左右の上部には、昇降装置２００との連結部である連結孔１２３，１２３が、表裏貫通して矩形状に形成されている。
【００２５】
看板蓋部材１３０は、電飾看板１００がセンター飾り１５に取り付けられた状態で後面側に開口を有する略矩形箱状の形状を有しており、プラスチック等の樹脂材料を用いて射出成形等の成形手段により一体的に成形され、表面をシルバーメッキされて成形される。看板蓋部材１３０の外面側底部（前面）１３４ａの中央部には、所定の文字や図形等（本実施形態では、所定の文字）の形状を有した複数の装飾透過孔１３１ａを備えた装飾突出部１３１が外方（前方）に突出するように形成されており、電飾基板１１０の中央部に配設された各ＬＥＤ１１１ａから射出された照明光が、光拡散ユニット１４０を介して拡散され、この装飾透過孔１３１ａから射出するように構成されている。さらに、外面側底部１３４ａの装飾突出部１３１の周辺部には、複数の光透過孔１３２が形成されており、電飾基板１１０の上下端部に配設された各ＬＥＤ１１１ｂから射出された照明光が、光拡散ユニット１４０を介して拡散され、この光透過孔１３２から射出されるように構成されている。
【００２６】
看板蓋部材１３０の内面側底部１３４ｂ（図５参照）には、上下及び左右の側部から後方に延びる側壁部１３３，１３３…と、外面側底部１３４ａの装飾突出部１３１に対応する位置に装飾レンズ部材１４５が挿入されるレンズ挿入凹部１３５（図５参照）とが形成されており、この内面側底部１３４ｂ及び各側壁部１３３によって形成された内部空間に光拡散ユニット１４０が挿入され保持されるように構成されている。また、上方の側壁部１３３の外面の中央部には、前方に突出し更に上方へ延びる（側面視においてＬ字形状を成す）案内部１３６が形成されており、案内部１３６の上方部に形成され左右方向に張り出した張出部１３６ａ，１３６ａが、昇降装置２００（図６参照）の案内レール部材２４０，２４０に形成された案内溝２４１，２４１に摺動自在に内挿され、電飾看板１００が上下方向に円滑な移動ができるように構成されている。
【００２７】
光拡散ユニット１４０は、図４に示すように、電飾基板１１０の上下端部に配設された各ＬＥＤ１１１ｂから射出された照明光を拡散させる外側レンズ部材１４１と、電飾基板１１０に配設されたＬＥＤ１１１ａ、ＬＥＤ１１１ｂからそれぞれ射出された照明光が互いに混交しないように遮断する遮光枠部材１４２，１４２と、電飾基板１１０の中央部に配設された各ＬＥＤ１１１ａから射出された照明光を拡散させる光拡散シート部材１４３，１４３と、各光拡散シート部材１４３によって拡散された光を更に拡散させる内側レンズ部材１４４，１４４と、各内側レンズ部材１４４から射出された拡散光を透過させて所定の色彩の装飾光を射出させる装飾レンズ部材１４５，１４５と、光拡散シート部材１４３及び内側レンズ部材１４４を固定保持させる押圧枠部材１４６，１４６とから構成される。
【００２８】
外側レンズ部材１４１は、電飾看板１００がセンター飾り１５に取り付けられた状態で後面側に開口を有する略矩形箱状の形状を有しており、ＡＢＳ樹脂やポリカーボネート（ＰＣ）等の透明な樹脂材料を用いて射出成形等の成形手段により一体的に成形される。外側レンズ部材１４１の外面側底部（前面）１４１ａの中央部には、看板蓋部材１３０の内面側底部１３４ｂに形成されたレンズ挿入凹部１３５と略同一形状の開口部１４７が表裏貫通して形成されている。この開口部１４７には、各遮光枠部材１４２が挿入され保持されるように構成されている。外側レンズ部材１４１の内面側底部１４１ｂには、図５に示すように、複数のディンプル形状（例えば、側面視半球状）のレンズ状突起部１４１ｃが内面側底部１４１ｂの全面に形成されている。この外側レンズ部材１４１は、看板蓋部材１３０の内面側底部１３４ｂ及び各側壁部１３３によって形成された内部空間と略同一形状に形成されており、この内部空間に挿入され保持されることにより、電飾基板１１０の上下端部に配設された各ＬＥＤ１１１ｂから射出された指向性の強い照明光を拡散させるように構成されている。
【００２９】
遮光枠部材１４２，１４２は、表裏貫通した開口を有する略矩形枠状の形状を有しており、遮光性を有するプラスチック等の樹脂材料を用いて射出成形等の成形手段により成形される。この遮光枠部材１４２は、外側レンズ部材１４１に形成された開口部１４７と略同一形状に形成されており、この開口部１４７に挿入され保持されることにより、電飾基板１１０に配設されたＬＥＤ１１１ａ、ＬＥＤ１１１ｂからそれぞれ射出された照明光、もしくは外側レンズ部材１４１、光拡散シート部材１４３及び内側レンズ部材１４４によって拡散された拡散光が互いに混交しないように構成されている。各遮光枠部材１４２の前後面に表裏貫通して形成された開口部１４２ａは、外側レンズ部材１４１に形成された開口部１４７と略同一形状に形成されており、この遮光枠部材１４２の開口部１４２ａの内側に内側レンズ部材１４４、光拡散シート部材１４３及びレンズ押圧枠部材１４６が順次挿入され保持されるように構成されている。
【００３０】
光拡散シート部材１４３，１４３は、略矩形シート状の形状を有しており、光拡散性を有するプラスチック等の樹脂材料を用いて成形される（例えば、乳白色シート）。この各光拡散シート部材１４３は、遮光枠部材１４２に形成された開口部１４２ａと略同一形状に形成されており、この開口部１４２ａに挿入され保持されることにより、電飾基板１１０の中央部に配設された各ＬＥＤ１１１ａから射出された指向性の強い照明光を拡散させるように構成されている。
【００３１】
内側レンズ部材１４４，１４４は、電飾看板１００がセンター飾り１５に取り付けられた状態で後面側に開口を有する略矩形箱状の形状を有しており、ＡＢＳ樹脂やポリカーボネート（ＰＣ）等の透明な樹脂材料を用いて射出成形等の成形手段により一体的に成形される。各内側レンズ部材１４４の内面側底部１４４ｂには、図５に示すように、複数のディンプル形状（例えば、側面視半球状）のレンズ状突起部１４４ｃが内面側底部１４４ｂの全面に形成され、内面側底部１４４ｂの上下及び左右の側部から後方に延びる側壁部１４４ｄが形成されている。この各内側レンズ部材１４４は、遮光枠部材１４２に形成された開口部１４２ａと略同一形状に形成されており、この開口部１４２ａにおいて光拡散シート部材１４３の前方に挿入され保持されることにより、電飾基板１１０の中央部に配設された各ＬＥＤ１１１ａから射出された指向性の強い照明光が、光拡散シート部材１４３を透過することによって拡散された光を更に拡散させるように構成されている。
【００３２】
装飾レンズ部材１４５，１４５は、略矩形板状の形状を有しており、ＡＢＳ樹脂やポリカーボネート（ＰＣ）等の有色透明な樹脂材料を用いて射出成形等の成形手段により成形される。この各装飾レンズ部材１４５は、看板蓋部材１３０の内面側底部１３４ｂに形成されたレンズ挿入凹部１３５と略同一形状に形成されており、各装飾レンズ部材１４５の前面には、看板蓋部材１３０の装飾突出部１３１に形成された複数の装飾透過孔１３１ａと略同一形状の装飾突起部１４５ａが複数形成されている。この各装飾突起部１４５ａは、看板蓋部材１３０の装飾透過孔１３１ａに後方側から挿入され保持されることにより、電飾基板１１０の中央部に配設された各ＬＥＤ１１１ａから射出された指向性の強い照明光が、光拡散シート部材１４３及び内側レンズ部材１４４を順次透過することによって拡散され、この拡散光が装飾突起部１４５ａを透過すことによって、装飾レンズ部材１４５から所定の色彩の装飾光を射出させるように構成されている。
【００３３】
押圧枠部材１４６，１４６は、表裏貫通した開口を有する略矩形枠状の形状を有しており、ＡＢＳ樹脂やポリカーボネート（ＰＣ）等の透明な樹脂材料を用いて射出成形等の成形手段により成形される。この各押圧枠部材１４６は、遮光枠部材１４２に形成された開口部１４２ａと略同一形状に形成されており、この開口部１４２ａにおいて光拡散シート部材１４３の後方に挿入され保持されることにより、内側レンズ部材１４４及び光拡散シート部材１４３が、遮光枠部材１４２の開口部１４２ａの内部に固定保持されるように構成されている。
【００３４】
装飾看板１００を以上のように構成すると、図5に示すように、看板蓋部材１３０の内面側底部１３４ｂ及び各側壁部１３３によって形成された内部空間において、まず、レンズ挿入凹部１３５に装飾レンズ部材１４５が挿入され、装飾レンズ部材１４５の装飾突起部１４５ａが看板蓋部材１３０の装飾透過孔１３１ａから前方（遊技者）に露出するように保持される。そして、外側レンズ部材１４１の外面側底部１４１ａと看板蓋部材１３０の光透過孔１３２とが対向及び外側レンズ部材１４１の開口部１４７と装飾レンズ部材１４５とが対向するように、外側レンズ部材１４１が挿入され保持される。
【００３５】
次に、外側レンズ部材１４１の開口部１４７に遮光枠部材１４２を挿入するとともに、遮光枠部材１４２の開口部１４２ａに、装飾レンズ部材１４５の後面と内側レンズ部材１４４の外面側底部１４４ａとが対向するように内側レンズ部材１４４が挿入され、更に内側レンズ部材１４４の側壁部１４４ｄの後方側面と光拡散シート部材１４３の前面とが対向するように光拡散シート部材１４３が挿入され、そして光拡散シート部材１４３の後面と押圧枠部材１４６の前面とが対向するように押圧枠部材１４６が挿入される。
【００３６】
このように光拡散ユニット１４０が看板蓋部材１３０内に挿入されると、看板本体部材１２０に電飾基板１１０を基板取付ネジ（図示せず）によってネジ締結させた状態で、光拡散ユニット１４０（看板蓋部材１３０の後面側の開口）を後方から覆うように、看板蓋部材１３０に看板本体部材１２０を看板封止ネジ（図示せず）によってネジ締結されて、装飾看板１００が封止状態で保持される。このように装飾看板１００が封止状態で保持されると、電飾基板１１０の中央部に配設された各ＬＥＤ１１１ａが光拡散シート部材１４３の後方面及び内側レンズ部材１４４の内面側底部１４４ｂと対向して位置し、電飾基板１１０の上下端部に配設された各ＬＥＤ１１１ｂが外側レンズ部材１４１の内面側底部１４１ｂと対向して位置する。
【００３７】
したがって、電飾基板１１０の中央部に配設された各ＬＥＤ１１１ａから照射された照明光は、まず、光拡散シート部材１４３の後面に入射し、屈折あるいは散乱されて光拡散シート部材１４３の前面から射出される。光拡散シート部材１４３で拡散された光は、次に、内側レンズ部材１４４に入射するとともに、内側レンズ部材１４４の内面側底部１４４ｂが有するディンプル形状のレンズ状突起部１４４ｃにより屈折あるいは散乱される。これによって、光拡散シート部材１４３で拡散された光がより一層拡散されて内側レンズ部材１４４の外面側底部１４４ａから射出される。そして、光拡散シート部材１４３及び内側レンズ部材１４４によって充分に拡散された拡散光は、装飾レンズ部材１４５を介して所定の色彩の装飾光を射出し、遊技中の遊技者からは、看板蓋部材１３０の外面側底部１３４ａに形成された所定の文字が発光して視認される。
【００３８】
また、電飾基板１１０の上下端部に配設された各ＬＥＤ１１１ｂから照射された照明光は、外側レンズ部材１４１に入射するとともに、外側レンズ部材１４１の内面側底部１４１ｂが有するディンプル形状のレンズ状突起部１４１ｃにより屈折あるいは散乱される。これによって、各ＬＥＤ１１１ｂから射出された照明光が拡散されて外側レンズ部材１４１の外面側底部１４１ａから射出される。そして、外側レンズ部材１４１によって拡散された拡散光は、看板蓋部材１３０の装飾突出部１３１（所定の意匠）の周辺部に形成された複数の光透過孔１３２を透過して、遊技中の遊技者からは、看板蓋部材１３０の外面側底部１３４ａに形成された所定の意匠の周辺部が発光して視認される。
【００３９】
センター飾り１５の各部に設けられた電気装飾装置の一つである電飾看板１００は、看板蓋部材１３０と電飾基板１１０との間に、光拡散ユニット１４０を構成する光拡散シート部材１４３、内側レンズ部材１４４及び外側レンズ部材１４１が配置され、電飾基板１１０に配設されたＬＥＤ１１１ａ、ＬＥＤ１１１ｂから照射される照明光をそれぞれ拡散して発光するので、光拡散シート部材１４３、内側レンズ部材１４４及び外側レンズ部材１４１が、指向性の強い点発光型のＬＥＤ１１１ａ、ＬＥＤ１１１ｂからの照明光を効率よく拡散し、発光面積の大きい広がりのある拡散光にすることができる。これにより、電飾看板１００の前方面の全面から光を発することができ、パチンコ機ＰＭの遊技盤１０上に設けられた各種役物の中でもセンター飾り１５の装飾効果を一段と高め、遊技者の興趣の向上を図るものとしている。
【００４０】
また、電飾看板１００は、看板蓋部材１３０と電飾基板１１０との間に、光拡散ユニット１４０を構成する光拡散シート部材１４３、内側レンズ部材１４４及び外側レンズ部材１４１が配置され、電飾基板１１０に配設されたＬＥＤ１１１ａ、ＬＥＤ１１１ｂから照射される照明光をそれぞれ拡散して発光するので、ＬＥＤ１１１ａ及びＬＥＤ１１１ｂと看板蓋部材１３０との間に充分な距離を取ることができない場合であっても、光拡散シート部材１４３、内側レンズ部材１４４及び外側レンズ部材１４１が層状に配置されることによって効率良くＬＥＤ１１１ａ及び１１１ｂからの照明光を拡散できるようになり、電飾看板１００の薄型化を図ることができる。
【００４１】
外側レンズ部材１４１は、その内面側底部１４１ｂにレンズ状突起部１４１ｃを有しているので、内面側底部１４１ｂが平坦面の場合に比して受光面積が広くなり、外側レンズ部材１４１内部に生じる光の屈折や散乱の要因が増えることで拡散透過光が増大し、光の拡散効率を向上させることができる。これにより、電飾基板１１０に配設されたＬＥＤ１１１ｂから照射される照明光は、レンズ状突起部１４１ｃの形状が有する性質に基づいて拡散される。また、内側レンズ部材１４４は、その内面側底部１４４ｂにレンズ状突起部１４４ｃを有しているので、内面側底部１４４ｂが平坦面の場合に比して受光面積が広くなり、内側レンズ部材１４４内部に生じる光の屈折や散乱の要因が増えることで拡散透過光が増大し、光の拡散効率を向上させることができる。これにより、電飾基板１１０に配設されたＬＥＤ１１１ａから照射される照明光は、光拡散シート部材１４３が有する性質に基づいて拡散され、その拡散された光が、レンズ状突起部１４４ｃの形状が有する性質に基づいて更に拡散されるため、広範囲に亘って効率よくＬＥＤ１１１ａ及びＬＥＤ１１１ｂからの照明光を拡散させることができる。
【００４２】
光拡散シート部材１４３及び内側レンズ部材１４４と外側レンズ部材１４１との間、すなわち電飾基板１１０の中央部に配設されたＬＥＤ１１１ａと上下端部に配設されたＬＥＤ１１１ｂとの間に遮光枠部材１４２を設けることにより、ＬＥＤ１１１ａから照射された照明光が、外側レンズ部材１４１を介して看板蓋部材１３０の光透過孔１３２を透過することはなく、また、ＬＥＤ１１１ｂから照射された照明光が、光拡散シート部材１４３、内側レンズ部材１４４及び装飾レンズ部材１４５を介して射出されることはない。このため、電飾基板１１０に配設されたＬＥＤ１１１ａ，ＬＥＤ１１１ｂの個数をそれぞれ設定することにより、例えば、ＬＥＤ１１１ｂの個数よりもＬＥＤ１１１ａの個数を多くすると、看板蓋部材１３０に形成された所定の文字の周辺部の発光輝度よりも、所定の文字の発光輝度が大きくなり、より一層に所定の文字を強調して遊技者に視認させることができる。
【００４３】
次に、遊技の進行状況に応じて、センター飾り１５の開口部１７の内部空間に電飾看板１００を、遊技者に露出する位置（以下では露出位置と称する）に下降移動させるもしくは所定の位置（以下では待機位置と称する）まで上昇移動させる昇降装置２００、待機位置において固定保持する固定装置３００について図６〜図９を参照して説明する。
【００４４】
ここで、図６には昇降装置２００の概略構成図を後方側（遊技者と対向する側）から見た状態で示しており、図７には固定装置３００の概略構成図を後方側から見た状態を示しており、図８には固定装置３００を構成するカム部材３１０及び固定部材３２０を示しており、図９には固定装置３００によって電飾看板１００を固定保持する場合を示している。なお、図６〜図９において、リンク部材２１０，２２０と伝達アーム部材２３０とが重なり合う部分は二点鎖線で図示する。図９において、固定装置３００によって電飾装置１００を固定保持する作動を明瞭に示すために、電気モータＭ１，Ｍ２は図示していない。昇降装置２００、固定装置３００は、センター飾り１５の裏面に設けられた図示していない取付枠部材Ｆに取り付けられている。また、以降の説明においては、図６の状態（後方側から見た状態）を基準にして上下及び左右を定義する（図６参照）。
【００４５】
昇降装置２００は、図６に示すように、回転駆動する昇降用の電気モータＭ１と、電気モータＭ１の回転動力を伝達する伝達ギアＧと、左右対称に配置されて八の字状に保持された一対のリンク部材２１０，２２０と、伝達ギアＧを介して電気モータＭ１の回転動力を一方のリンク部材２１０もしくはリンク部材２２０に伝達する（本実施形態では、リンク部材２１０に回転動力を伝達する）伝達アーム部材２３０と、電飾看板１００の上下方向への移動を円滑に行うために設けられる左右一対の案内レール部材２４０と、リンク部材２１０，２２０の内側部に挟まれるように設けられた緩衝部材２５０とから構成される。
【００４６】
電気モータＭ１は、ネジ締結等によって取付枠部材Ｆ（前述したようにセンター飾り１５の裏面に設けられているが図示せず）に固設されており、正逆の両方向の回転駆動をすることができるように構成されている。伝達ギアＧは、円柱形の形状を有し、水平支軸Ｐ０によって取付枠部材Ｆに回動自在に軸支され、電気モータＭ１の出力軸に設けられたピニオンギア（図示せず）が伝達ギアＧと噛合しており、電気モータＭ１の回転駆動によって伝達ギアＧが回転するように構成されている。
【００４７】
リンク部材２１０，２２０は、略扇形板状の形状を有しており、ＡＢＳ樹脂やポリカーボネート（ＰＣ）等の透明な樹脂材料を用いて射出成形等の成形手段によりそれぞれ一体的に成形される。リンク部材２１０，２２０は、水平支軸Ｐ１，Ｐ２によって取付枠部材Ｆにそれぞれ前後方向に軸支され、水平支軸Ｐ１，Ｐ２周りにそれぞれ回動自在に構成されている。また、リンク部材２１０，２２０の基端部（リンク部材２１０とリンク部材２２０とが当接する各円弧状の端部）には、互いに噛合可能なギア歯部２１１，２２１がそれぞれ形成されており、このギア歯部２１１，２２１が噛合することによって、リンク部材２１０，２２０が連動して水平支軸Ｐ１，Ｐ２周りに回動するように構成されている。リンク部材２１０の後面における水平支軸Ｐ１とギア歯部２１１との間には、伝達アーム部材２３０と係合する係合凹部２１２が上方に開口を有して形成されている。
【００４８】
リンク部材２１０，２２０の先端部（ギア歯部２１１，２２１と反対側の端部）には、円柱状の係合部２１３，２２３が前方に突出してそれぞれ形成されており、この係合部２１３，２２３が、看板本体部材１２０の係合孔１２３，１２３に挿入され、リンク部材２１０，２２０と電飾看板１００とが連結されている。これら係合部２１３，２２３は係合孔１２３，１２３の内部を左右方向に摺動自在である。なお、リンク部材２１０，２２０の先端部には、上方に突出し、その上端部から左方に延びる当接部２１４ａ，２２４ａを有した（昇降装置２００の後面視においてＬ字形状の）看板係止部２１４，２２４がそれぞれ形成されている。また、リンク部材２１０，２２０の先端部が下方に回動することによって互いに近づく側の側部（看板係止部２１４，２２４と反対側の側部）には、突出部２１５，２２５が下方に突出して形成されている。
【００４９】
伝達アーム部材２３０は、板状の形状を有しており、ＡＢＳ樹脂やポリカーボネート（ＰＣ）等の透明な樹脂材料を用いて成形される。伝達アーム部材２３０は、水平支軸Ｐ３によって取付枠部材Ｆに前後方向に軸支され、水平支軸Ｐ３周りに回動自在に構成されている。伝達アーム部材２３０の伝達ギアＧと当接する円弧状の端部には、噛合可能なギア歯部２３１が形成されており、このギア歯部２３１と伝達ギアＧと噛合することによって、電気モータＭ１の回転駆動が伝達ギアＧを介して伝達アーム部材２３０に伝達され、伝達アーム部材２３０が水平支軸Ｐ３周りに回動するように構成されている。
【００５０】
伝達アーム部材２３０におけるギア歯部２３１が形成された端部と反対側の端部には、円柱状の係合部２３２が前方に突出して形成されており、この係合部２３２が、リンク部材２１０の係合凹部２１２に後方側から挿入される。伝達アーム部材２３０が水平支軸Ｐ３周りに回動し、伝達アーム部材２３０の係合部２３２がリンク部材２１０の係合凹部２１２の内側部と当接すると、伝達アーム部材２３０の回動に伴ってリンク部材２１０が水平支軸Ｐ１周りに回動するように構成されている。
【００５１】
案内レール部材２４０，２４０は、上下方向に延びる角柱状の形状を有しており、プラスチック等の樹脂材料を用いて成形される。案内レール部材２４０，２４０は、所定間隔を置いて平行に設けられており、リンク部材２１０，２２０よりも前方に位置する上部電飾装置２２（図２参照）の後面にネジ締結等によって固設されている。案内レール部材２４０，２４０の対向する側面には、上下方向に開口した案内溝２４１，２４１が形成されており、この案内溝２４１，２４１に、看板蓋部材１３０に形成された案内部１３６の張出部１３６ａ，１３６ａ（図３参照）が摺動自在に挿入され、看板蓋部材１３０の案内部１３６が案内レール部材２４０，２４０に沿って上下方向に移動ができるように（上下方向以外の移動を規制するように）構成されている。
【００５２】
緩衝部材２５０は、左右方向に延びる角柱状の形状を有しており、ゴム等の弾性材料を用いて成形される。緩衝部材２５０は、リンク部材２１０，２２０が回動する面内で且つリンク部材２１０，２２０の先端部が下方に回動した場合にリンク部材２１０，２２０に挟まれて当接する位置にネジ締結等によって取付枠部材Ｆに固設されている。リンク部材２１０，２２０の突出部２１５，２２５が互いに近づく方向にリンク部材２１０，２２０が回動し、この回動が所定の位置（電飾看板１００が下降移動して露出位置）に達すると、この突出部２１５，２２５の側部と緩衝部材２５０の左右の端部とが当接し、突出部２１５，２２５が互いに近づく方向のリンク部材２１０，２２０の回動を規制するように構成されている。
【００５３】
以上のように構成される昇降装置２００によると、電飾看板１００の上昇移動は、まず、伝達ギアＧ１を介して、伝達アーム部材２３０のギア歯部２３１が形成された端部が上方に移動（伝達アーム部材２３０が水平支軸Ｐ３を中心に時計回りに回動）するように電気モータＭ１を回転駆動（上昇方向の回転駆動）させる。そして、伝達アーム部材２３０が水平支軸Ｐ３を中心に時計回りに回動すると、伝達アーム部材２３０の係合部２３２が下方向に移動するように回動するため、係合部２３２がリンク部材２１０の係合凹部２１２の内側部と当接してリンク部材２１０の基端部（ギア歯部２１１が形成された端部）を下方に押し下げ、リンク部材２１０が水平支軸Ｐ１を中心に反時計周りに回動してリンク部材２１０の先端部（係合部２１３が形成された端部）が上方に移動する。
【００５４】
リンク部材２１０とリンク部材２２０とは、それぞれに形成されたギア歯部２１１，２２１によって噛合されているので、リンク部材２１０が水平支軸Ｐ１を中心に反時計回りに回動すると、このリンク部材２１０の回動に伴って、リンク部材２２０が水平支軸Ｐ２を中心に時計回りに回動する。このようにリンク部材２１０，２２０がそれぞれ回動すると、リンク部材２１０，２２０の先端部がそれぞれ上方に移動するように回動するとともに、リンク部材２１０，２２０の係合部２１３，２２３が看板蓋部材１２０の係合孔１２３，１２３の内部を左右方向（係合部２１３は右方向、係合部２２３は左方向）に摺動し、電飾看板１００が上昇移動する。この際、看板蓋部材１３０の案内部１３６の張出部１３６ａ，１３６ａ（図３参照）が、案内レール部材２４０，２４０の案内溝２４１，２４１に挿入されて上方向に摺動し、電飾看板１００は案内レール部材２４０，２４０に沿って上昇移動する。電飾看板１００は、昇降装置２００によって待機位置まで上昇移動すると、この待機位置に電飾看板１００が留まるように、以下に説明する固定装置３００によって固定保持される。
【００５５】
固定装置３００は、図７に示すように、回転駆動する電気モータＭ２と、電気モータＭ２の回転動力によって回転するカム部材３１０と、カム部材３１０の回転によって左右方向に移動する固定部材３２０とから構成される。電気モータＭ２は、ネジ締結等によって取付枠部材Ｆに固設されており、正逆の両方向の回転駆動をすることができるように構成されている。
【００５６】
カム部材３１０は、図８に示すように、略円盤状の形状を有しており、プラスチック等の樹脂材料を用いて成形される。カム部材３１０の後面には、円柱形の形状を有した突出ギア部３１１が、後方に突出して形成されている。カム部材３１０及び突出ギア部３１１は、水平支軸Ｐ４によって取付枠部材Ｆに前後方向に軸支され、電気モータＭ２の出力軸に設けられたピニオンギア（図示せず）が突出ギア部３１１と噛合しており、突出ギア部３１１によって電気モータＭ２の回転駆動が伝達されて、カム部材３１０が回動自在に構成されている。
【００５７】
カム部材３１０の外周面には、円形状の円形外面カム部３１２と円形外面カム部３１２よりも外方に張り出した形状の張出外面カム部３１３とから構成される外面カムが形成されており、カム部材３１０は、この円形外面カム部３１２と張出外面カム部３１３とが滑らかに繋がった外周形状を成している。また、カム部材３１０の後面には、円形状の円形溝カム部３１４と円形溝カム部３１４よりも外方に張り出した形状の張出溝カム部３１５とから構成され、この円形溝カム部３１４と張出溝カム部３１５とが滑らかに繋がったリング状の溝カムが形成されている。
【００５８】
固定部材３２０は、長尺板状の形状を有しており、金属材料を用いて成形される。固定部材３２０は、取付リブ（図示せず）等を用いて、左右方向に移動自在な状態で取付枠部材Ｆに取り付けられている。固定部材３２０の前方及び後方の側部には、下方向に延びる側壁部３２１，３２１が形成されており、後方側の側壁部３２１の略中央部に下方向に突出して形成されたバネ取付部３２２と取付枠部材Ｆとの間に設けられたバネ部材３２３によって、固定部材３２０は、右方向に常に引っ張られ、所定の位置（以下ではロック位置と称する）に位置した状態で保持されるように構成されている。
【００５９】
固定部材３２０の後方側の側壁部３２１には、固定部材３２０がロック位置に位置した状態でカム部材３１０の円形外面カム部３１２と近接する位置に、下方に延びる押圧壁部３２４が形成されている。押圧壁部３２４と最も近接対向するカム部材３１０の外側部が、円形外面カム部３１２から張出外面カム部３１３となる方向にカム部材３１０が回転すると、カム部材３１０の外側部形状に沿って、カム部材３１０の張出外面カム部３１３によって押圧壁部３２４が徐々に左方向に押され、固定部材３２０がバネ部材３２３の弾性力に抗ってロック位置から左方向に移動するように構成される（以下では、固定部材３２０が最も左方向に移動した位置をロック解除位置と称する）。また、押圧壁部３２４と最も近接対向するカム部材３１０の外側部が、張出外面カム部３１３から円形外面カム部３１２となる方向にカム部材３１０が回転すると、カム部材３１０の外側部形状に沿って、カム部材３１０の張出外面カム部３１３によって左方向に押されていた押圧壁部３２４がバネ部材３２３の弾性力によって徐々に右方向に移動し、固定部材３２０がロック解除位置からロック位置に移動するように構成されている。
【００６０】
固定部材３２０の左右の両端部には、図７，８に示すように、下方に突出し、その下端部から右方に延びる当接部３２５ａ，３２６ａを有した（固定装置３００の後面視においてＬ字形状の）係止部３２５，３２６がそれぞれ形成されており、昇降装置２００のリンク部材２１０，２２０に形成された看板係止部２１４，２２４とこの係止部３２５，３２６とがそれぞれ係止され（看板係止部２１４と係止部３２５とが係止され、看板係止部２２４と係止部３２６とが係止され）、電飾看板１００が待機位置に固定保持されるように構成されている。
【００６１】
以上のように構成される固定装置３００によると、電飾看板１００の待機位置における固定保持は、図９（Ａ）に示すように、先ず、電気モータＭ２の回転駆動をカム部材３１０の突出ギア部３１１を介してカム部材３１０に伝達させ、カム部材３１０の張出外面カム部３１３と固定部材３２０の押圧壁部３２４とが当接するようにカム部材３１０を回転させると、カム部材３１０の張出外面カム部３１３によって押圧壁部３２４が左方向に押され、固定部材３２０をロック解除位置に移動させる。そして、固定部材３２０がロック解除位置に位置した状態において、上述したように、昇降装置２００によって電飾看板１００を上昇移動させる。この際には、昇降装置２００のリンク部材２１０，２２０に形成された看板係止部２１４，２２４の当接部２１４ａ，２２４ａが、固定部材３２０に形成された係止部３２５，３２６の当接部３２５ａ，３２６ａよりも上方となる所定の位置（以下では最上位置と称する）まで電飾看板１００を上昇移動させる。
【００６２】
次に、図９（Ｂ）に示すように、リンク部材２１０，２２０に形成された看板係止部２１４，２２４の当接部２１４ａ，２２４ａが最上位置に位置した状態において、電気モータＭ２の回転駆動をカム部材３１０の突出ギア部３１１を介してカム部材３１０に伝達させて、カム部材３１０の円形外面カム部３１２と固定部材３２０の押圧壁部３２４とが近接対向するようにカム部材３１０を回転させ、カム部材３１０の張出外面カム部３１３によって左方向に押されていた押圧壁部３２４をバネ部材３２３の弾性力によって右方向に移動させ、固定部材３２０をロック位置に移動させる。
【００６３】
そして、図９（Ｃ）に示すように、固定部材３２０がロック位置に位置した状態において、伝達ギアＧを介して昇降装置２００の伝達アーム部材２３０のギア歯部２３１が形成された端部が下方向に移動（伝達アーム部材２３０が水平支軸Ｐ３を中心に反時計回りに回動）するように電気モータＭ１を回転駆動（下降方向の回転駆動）させる。伝達アーム部材２３０が水平支軸Ｐ３を中心に反時計回りに回動すると、伝達アーム部材２３０の係合部２３２が上方に移動するように（伝達アーム部材２３０の係合部２３２とリンク部材２１０の係合凹部２１２の内側部とが離れる方向に）回動するため、リンク部材２１０，２２０の自重及びリンク部材２１０，２２０と連結された電飾看板１００の自重により、この係合部２３２の回動に伴ってリンク部材２１０，２２０の基端部（ギア歯部２１１，２２１が形成された端部）がそれぞれ上方に移動するように回動するとともに、リンク部材２１０，２２０の先端部（看板係止部２１４，２２４が形成された端部）がそれぞれ下方に移動するように回動する。
【００６４】
リンク部材２１０，２２０の先端部がそれぞれ下方に移動するように回動すると、リンク部材２１０，２２０に形成された看板係止部２１４，２２４の当接部２１４ａ，２２４ａの下方面と固定部材３２０に形成された係止部３２５，３２６の当接側部３２５ａ，３２６ａの上方面とがそれぞれ当接し、電飾看板１００が下降する方向のリンク部材２１０，２２０の回動が固定部材３２０によって規制されて電飾看板１００が待機位置に固定保持される。
【００６５】
電飾看板１００が待機位置に固定保持された後、伝達アーム部材２３０の係合部２３２とリンク部材２１０の係合凹部２１２との当接部に所定の間隔を有するように、伝達アーム部材２３０は更に反時計回りに回動される。このように、伝達アーム部材２３０が更に反時計回りに回動されても、電飾看板１００は固定部材３２０により係止されて待機位置で保持されておりリンク部材２１０，２２０の先端部が下方に移動する方向の回動が規制されているので、伝達アーム部材２３０のみが回動され、伝達アーム部材２３０の係合部２３２とリンク部材２１０の係合凹部２１２との当接部に所定の間隔が生じる状態（以下では下降準備完了状態と称する）となる。
【００６６】
電飾看板１００の下降移動は、下降準備完了状態において、電気モータＭ２の回転駆動をカム部材３１０の突出ギア部３１１を介してカム部材３１０に伝達させ、カム部材３１０の張出外面カム部３１３と固定部材３２０の押圧壁部３２４とが当接するようにカム部材３１０を回転させると、張出外面カム部３１３によって押圧壁部３２４が左方向に押され、固定部材３２０をロック解除位置に移動させる。固定部材３２０がロック解除位置に移動すると、リンク部材２１０，２２０の看板係止部２１４，２２４と固定部材３２０の係止部３２５，３２６との係止状態がそれぞれ解除され、リンク部材２１０，２２０の自重及びリンク部材２１０，２２０と連結された電飾看板１００の自重により、リンク部材２１０，２２０の先端部が下方に回動して電飾看板１００が下降移動する。この際、看板蓋部材１３０の案内部１３６の張出部１３６ａ，１３６ａ（図３参照）が、案内レール部材２４０，２４０の案内溝２４１，２４１（図７参照）に挿入されて下方に摺動し、電飾看板１００は案内レール部材２４０，２４０に沿って下降移動する。
【００６７】
このように、固定部材３２０をロック解除位置に移動させてリンク部材２１０，２２０の看板係止部２１４，２２４と固定部材３２０の係止部３２５，３２６との係止状態をそれぞれ解除させ、遊技者が最も注目しているセンター飾り１５内に電飾看板１００を落下移動させることができるので、遊技者に対して大きな驚きを与えて効果的な演出を行うことができる。
【００６８】
電飾看板１００が下降移動すると、リンク部材２１０，２２０が回動する面内に位置して設けられた緩衝部材２５０を、リンク部材２１０，２２０の突出部２１５，２２５によって左右方向から挟むように突出部２１５，２２５と緩衝部材２５０とが当接することによって、電飾看板１００が下降移動する方向のリンク部材２１０，２２０の回動が制止され、電飾看板１００が露出位置に位置する。
【００６９】
このように自由落下によって相応の運動エネルギを与えられた電飾看板１００が停止する際に、リンク部材２１０，２２０の突出部２１５，２２５が緩衝部材２５０を挟み込むように当接することによって、緩衝部材２５０が、電飾看板１００が停止する際に生じる衝撃を効率的に緩和する（電飾看板１００の運動エネルギを効率的に吸収する）ので停止時のブレ（振動）などを低減することができ、電飾看板１００を露出位置にスムーズに位置させることができる。また、緩衝部材２５０が、リンク部材２１０，２２０の緩衝部材２５０への当接による衝撃を効果的に緩和することができるので、リンク部材２１０，２２０の耐久性の向上を図ることができるとともに、電飾看板１００を露出位置にスムーズに停止させることができる。さらに、電飾看板１００が案内レール部材２４０，２４０に沿って下降移動するので、案内レール部材２４０，２４０方向以外の電飾看板１００の移動が規制され、電飾看板１００を円滑に下降移動させることができるとともに露出位置にスムーズに停止させることができる。
【００７０】
次に、遊技の進行状況に応じて、センター飾り１５の上方に取り付けられた上部電飾装置２２の前面に設けられた装飾部材２２ａ（図２参照）を、左右に往復移動（振動）させる振動装置４００について図１０〜図１１を参照して説明する。図１０には振動装置４００の概略構成図を示す後方側から見た状態で示しており、図１１には振動装置４００によって装飾板材２２ａが左右に往復移動する場合を示している。なお、図１０において、リンク部材２１０，２２０と伝達アーム部材２３０とが重なり合う部分は二点鎖線で図示する。
【００７１】
振動装置４００は、図１０に示すように、回転駆動する電気モータＭ２と、電気モータＭ２の回転動力によって回転するカム部材３１０と、カム部材３１０の回転によって左右方向に往復動するように回動する往復アーム部材４１０と、上部電飾装置２２の装飾部材２２ａを支持するとともに往復アーム部材４１０と係合して左右に往復移動する支持部材４２０とから構成される。なお、振動装置４００は、固定装置３００を構成する電気モータＭ２，カム部材３１０を共有して構成される。
【００７２】
往復アーム部材４１０は、図１０の状態において、くの字形板状の形状を有しており、プラスチック等の樹脂材料を用いて成形される。往復アーム部材４１０は、水平支軸Ｐ５によって取付枠部材Ｆ（前述したようにセンター飾り１５の裏面に設けられているが図示せず）に前後方向に軸支され、水平支軸Ｐ５周りに回動自在に構成されている。往復アーム部材４１０の上端部には、前後方向に開口を有した係合溝部４１１が形成されており、この係合溝部４１１と支持部材４２０の係合部４２２とが係合して、往復アーム部材４１０と支持部材４２０とが連動するように構成されている。
【００７３】
往復アーム部材４１０の後面の略中央部（くの字形状の曲折部）には、円柱状の係合部４１２が前方に突出して形成されており、この係合部４１２が、カム部材３１０の後面に形成された円形溝カム部３１４，張出溝カム部３１５から構成される溝カム（図８参照）に摺動自在に挿入される。カム部材３１０が回転すると往復アーム部材４１０の係合部４１２が溝カムの内部を摺動し、円形溝カム部３１４，張出溝カム部３１５の溝カムの形状によって、往復アーム部材４１０の係合部４１２及び係合溝部４１１が左右方向に回動（往復移動）するように構成されている。なお、係合部４１２は係合溝部４１１よりも水平支軸Ｐ５（回動中心）に近い位置に形成されているので、係合部４１２の往復移動に比して係合溝部４１１はより大きく左右方向に往復移動するように構成されている。
【００７４】
支持部材４２０は、略矩形筒状の形状を有しており、ＡＢＳ樹脂やポリカーボネート（ＰＣ）等の透明な樹脂材料を用いて成形される。支持部材４２０は、水平支軸Ｐ６によって上部電飾装置２２（図２参照）の後面に左右方向に軸支され、支持部材４２０は水平支軸Ｐ６に沿って左右方向に摺動自在に構成されている。支持部材４２０の下面の左右の端部には、取付部４２１，４２１が下方に突出して形成されており、この取付部４２１，４２１の下端部に装飾部材２２ａ（図１１参照）がネジ締結等によって取り付けられている。支持部材４２０の後面には、下方に突出し更にその下端部から後方に延びる係合部４２２が形成されており、この係合部４２２と往復アーム部材４１０の係合溝部４１１の内側部とが当接し、往復アーム部材４１０が水平支軸Ｐ５周りに回動すると、往復アーム部材４１０の回動にともなって支持部材４２０が水平支軸Ｐ６に沿って左右に往復移動するように構成されている。
【００７５】
以上のように構成される振動装置４００によると、上部電飾装置２２の前面に設けられた装飾部材２２ａの左右方向の往復移動（振動）は、電気モータＭ２の回転駆動をカム部材３１０の突出ギア部３１１を介してカム部材３１０に伝達させてカム部材３１０を回転させ、往復アーム部材４１０の係合部４１２をカム部材３１０の溝カム（円形溝カム部３１４，張出溝カム部３１５）の内部において摺動させる。図１１（Ａ）に示すように、カム部材３１０の円形溝カム部３１４に挿入された往復アーム部材４１０の係合部４１２の挿入位置が、円形溝カム部３１４から張出溝カム部３１５となる方向（図中の矢印ａの方向）にカム部材３１０が回転すると、カム部材３１０の溝カムの形状によって、往復アーム部材４１０の係合部４１２が右方向に移動するように往復アーム部材４１０が水平支軸Ｐ５を中心に時計回りに回動する。すなわち、往復アーム部４１０の係合溝部４１１が右方向に移動するように回動するため、この係合溝部４１１の内側部と支持部材４２０の係合部４２２とが当接し、往復アーム部材４１０の回動に伴って支持部材４２０が水平支軸Ｐ６に沿って右方向（図中の矢印ｃの方向）に移動する。
【００７６】
また、図１１（Ｂ）に示すように、カム部材３１０の張出溝カム部３１５に挿入された往復アーム部材４１０の係合部４１２の挿入位置が、張出溝カム部３１５から円形溝カム部３１４となる方向（図中の矢印ｂの方向）にカム部材３１０が回転すると、カム部材３１０の溝カムの形状によって、往復アーム部材４１０の係合部４１２が左方向に移動するように往復アーム部材４１０が水平支軸Ｐ５を中心に反時計回りに回動する。すなわち、往復アーム部４１０の係合溝部４１１が左方向に移動するように回動するため、この係合溝部４１１の内側部と支持部材４２０の係合部４２２とが当接し、往復アーム部材４１０の回動に伴って支持部材４２０が水平支軸Ｐ６に沿って左方向（図中の矢印ｄの方向）に移動する。
【００７７】
このように、往復アーム部材４１０の係合部４１２の挿入位置が、円形溝カム部３１４から張出溝カム部３１５となる方向もしくは張出溝カム部３１５から円形溝カム部３１４となる方向に、電気モータＭ２によってカム部材３１０を回転させて往復アーム部材４１０の係合部４１２をカム部材３１０の溝カム（円形溝カム部３１４，張出溝カム部３１５）の内部において摺動させると、往復アーム部材４１０の係合部４１２及び係合溝部４１１が左右方向に移動するように回動するため、この係合溝部４１１の内側部と支持部材４２０の係合部４２２とが当接し、支持部材４２０が水平支軸Ｐ６に沿って左右方向に移動するとともに、上部電飾部材２２の前面に設けられた装飾部材２２ａが左右方向に往復移動（振動）する。したがって、電気モータＭ２によるカム部材３１０の回転を制御することで、振動速度を変化させるなど装飾部材２２ａに遊技演出に合わせた振動を自在に生起させることができ、遊技の興趣を一層増大させることができる。
【００７８】
以上説明した本実施形態では、電気モータＭ２によってカム部材３１０の張出外面カム部３１３と固定部材３２０の押圧壁部３２４とが当接するようにカム部材３１０を回転させ、カム部材３１０の張出外面カム部３１３によって押圧壁部３２４が左方向に押されて固定部材３２０をロック解除位置に移動させる。そして、固定部材３２０がロック解除位置に位置した状態で昇降装置２００によって電飾看板１００を上昇移動させ、電気モータＭ２によってカム部材３１０の円形外面カム部３１２と固定部材３２０の押圧壁部３２４とが近接対向するようにカム部材３１０を回転させ、カム部材３１０の張出外面カム部３１３によって左方向に押されていた押圧壁部３２４をバネ部材３２３の弾性力によって右方向に移動し、固定部材３２０がロック位置に移動して電飾看板１００が待機位置に固定保持される。
【００７９】
また、カム部材３１０を回転させて往復アーム部材４１０の係合部４１２をカム部材３１０の溝カム（円形溝カム部３１４，張出溝カム部３１５）の内部において摺動させ、往復アーム部材４１０の係合部４１２及び係合溝部４１１が左右方向に移動するように回動するため、この係合溝部４１１の内側部と支持部材４２０の係合部４２２とが当接し、支持部材４２０が水平支軸Ｐ６に沿って左右方向に移動するとともに、上部電飾部材２２の前面に設けられた装飾部材２２ａが左右方向に往復移動（振動）する。
【００８０】
このように構成されるため、センター飾り１５の開口部１７の内部空間に設けられて現実に存在する部材である電飾看板１００を上下に移動させることによって、画像表示装置１８による画像表示演出等に比してより立体的で現実的な演出を行うことが可能となり、遊技者に対してより強い印象を与えて視覚的な演出効果を向上させることができる。また、支持部材４２０に取り付けられた装飾部材２２ａに遊技演出に合わせた振動を自在に生起させることができ、遊技の興趣を増大させることができる。さらに、一つのカム部材３１０が電飾看板１００及び装飾部材２２ａの二つの遊技部材の作動を行うので構成部材を少なくすることができ、装置のコンパクト化とともにコスト削減を図ることができる。
【００８１】
以上、本発明をその好適な実施の形態に基づいて説明したが、本発明の遊技機は、上記実施形態の構成にのみ限定されるものではなく、上記実施形態の構成から種々の修正及び変更を施した遊技機も本発明の範囲に含まれる。
【図面の簡単な説明】
【００８２】
【図１】本発明に係る遊技機の一例として示すパチンコ機の正面図である。
【図２】上記パチンコ機における遊技盤単体の正面図である。
【図３】上記遊技盤に設けられた電飾看板の分解斜視図である。
【図４】光拡散ユニットの分解斜視図である。
【図５】図２のＶ‐Ｖ断面図である。
【図６】電飾看板及び昇降装置の概略構成を示す背面図である。
【図７】電飾看板、昇降装置及び固定装置の概略構成を示す背面図である。
【図８】固定装置を構成するカム部材及び固定部材の概略構成を示す要部拡大図である。
【図９】固定装置によって電飾看板を固定保持する場合を示す要部拡大図である。
【図１０】電飾看板、昇降装置、固定装置及び振動装置の概略構成を示す背面図である。
【図１１】振動装置によって装飾部材を振動させる場合を示す図である。
【符号の説明】
【００８３】
ＰＭ    パチンコ機（遊技機）
２２ａ  装飾部材（遊技装飾部材）
１００  電飾看板（遊技演出部材）
２００  昇降装置（移動機構）
２１０，２２０  リンク部材（昇降アーム部材）
２１４，２２４  看板係止部（被係合部）
３１０  カム部材（カム部材）
３１４  円形溝カム部（溝カム）
３１５  張出溝カム部（溝カム）
３２０  固定部材（係合部材）
３２３  バネ部材（付勢手段）
４１０  往復アーム部材（振動アーム部材）
４１１  係合溝部（係合部）
４１２  係合部（挿入係合部）
４２０  支持部材（支持部材）
【図１】
2008246016.tif 000003
【図２】
2008246016.tif 000004
【図３】
2008246016.tif 000005
【図４】
2008246016.tif 000006
【図５】
2008246016.tif 000007
【図６】
2008246016.tif 000008
【図７】
2008246016.tif 000009
【図８】
2008246016.tif 000010
【図９】
2008246016.tif 000011
【図１０】
2008246016.tif 000012
【図１１】
2008246016.tif 000013